(57)【要約】【課題】データを保存する不揮発性記憶手段のバックアップを効率的に実行できる情報処理装置を実現する。【解決手段】データを保存するために情報処理装置に対して着脱可能に接続されている複数の不揮発性記憶手段と、前記不揮発性記憶手段に対してデータの書き込み若しくは読み出しを実行する記憶制御手段と、を備え、前記記憶制御手段は、バックアップ処理実行時には、前記複数の不揮発性記憶手段のうちのいずれかが、前記複数の不揮発性記憶手段とは別に用意された、バックアップデータを記憶させる待避用不揮発性記憶手段に交換されたことを検知し、該情報処理装置に接続されている前記不揮発性記憶手段に記憶されたデータをバックアップデータとして前記待避用不揮発性記憶手段に記憶させる、ことを特徴とする。【選択図】図１
2010224732.tif 000002
【特許請求の範囲】
【請求項１】
データを保存するために情報処理装置に対して着脱可能に接続されている複数の不揮発性記憶手段と、
前記不揮発性記憶手段に対してデータの書き込み若しくは読み出しを実行する記憶制御手段と、を備え、
前記記憶制御手段は、
バックアップ処理実行時には、
前記複数の不揮発性記憶手段のうちのいずれかが、前記複数の不揮発性記憶手段とは別に用意された、バックアップデータを記憶させる待避用不揮発性記憶手段に交換されたことを検知し、
該情報処理装置に接続されている前記不揮発性記憶手段に記憶されたデータをバックアップデータとして前記待避用不揮発性記憶手段に記憶させる、
ことを特徴とする情報処理装置。
【請求項２】
データを保存するために情報処理装置に対して着脱可能に接続されている複数の不揮発性記憶手段と、
前記不揮発性記憶手段に対してデータの書き込み若しくは読み出しを実行する記憶制御手段と、を備え、
前記記憶制御手段は、
前記複数の不揮発性記憶手段のうちのいずれかが、前記複数の不揮発性記憶手段とは別に用意された、バックアップデータを記憶させる待避用不揮発性記憶手段に交換されたことを検知した場合にバックアップ処理を開始し、
該情報処理装置に接続されている前記不揮発性記憶手段に記憶されたデータをバックアップデータとして前記待避用不揮発性記憶手段に記憶させる、
ことを特徴とする情報処理装置。
【請求項３】
前記記憶制御手段は、
前記複数ａ個の前記不揮発性記憶手段のうちの複数ｂ個のいずれかが複数ｂ個の前記待避用不揮発性記憶手段に交換され、複数ｃ（ｃ＝ａ−ｂ）個の前記不揮発性記憶手段が情報処理装置に接続されている場合、複数ｄ（ｄはｂあるいはｃのいずれか小さい方）個の、該情報処理装置に接続されている前記不揮発性記憶手段に記憶されたデータをバックアップデータとして前記待避用不揮発性記憶手段に並行して記憶させる、
ことを特徴とする請求項１または請求項２に記載の情報処理装置。
【請求項４】
前記記憶制御手段は、
前記複数２ｎ個の前記不揮発性記憶手段のうちの複数ｎ個のいずれかが複数ｎ個の前記待避用不揮発性記憶手段に交換され、複数ｎ個の前記不揮発性記憶手段が情報処理装置に接続されている場合、複数ｎ個の、該情報処理装置に接続されている前記不揮発性記憶手段に記憶されたデータをバックアップデータとして前記待避用不揮発性記憶手段に並行して記憶させる、
ことを特徴とする請求項１または請求項２に記載の情報処理装置。
【請求項５】
各種表示を行う表示手段を備え、
前記記憶制御手段は、
該情報処理装置に接続されている前記不揮発性記憶手段に記憶されたデータをバックアップデータとして前記待避用不揮発性記憶手段に記憶させた後、バックアップ処理が未完了の前記不揮発性記憶手段のバックアップ処理を実行するために、前記不揮発性記憶手段または前記待避用不揮発性記憶手段の交換を促すメッセージを前記表示手段に表示する、
ことを特徴とする請求項１−４のいずれか一項に記載の情報処理装置。
【請求項６】
情報処理装置の動作を制御する制御手段を備え、
前記バックアップ処理を実行中に該情報処理装置のバックアップ処理以外の動作要求があった場合には、該情報処理装置の動作として前記不揮発性記憶手段を使用しない動作モードで動作するよう各部を制御する、
ことを特徴とする請求項１−５のいずれか一項に記載の情報処理装置。
【請求項７】
情報処理装置の動作を制御する制御手段を備え、
前記バックアップ処理を実行中には、該情報処理装置のバックアップ処理以外の動作要求があっても該情報処理装置の動作を許可しない、
ことを特徴とする請求項１−５のいずれか一項に記載の情報処理装置。
【請求項８】
データを保存するために情報処理装置に対して着脱可能に接続されている複数の不揮発性記憶手段と、
前記不揮発性記憶手段に対してデータの書き込み若しくは読み出しを実行する記憶制御手段と、を備え、
前記記憶制御手段は、
バックアップデータを前記不揮発性記憶手段に戻す復元処理の実行時には、
前記複数の不揮発性記憶手段のうちのいずれかが、前記複数の不揮発性記憶手段とは別のバックアップデータを既に記憶している待避用不揮発性記憶手段に交換されたことを検知し、
前記待避用不揮発性記憶手段に記憶されているバックアップデータを、該情報処理装置に接続されている前記不揮発性記憶手段に対して戻すことにより復元処理を実行する、
ことを特徴とする情報処理装置。
【請求項９】
データを保存するために情報処理装置に対して着脱可能に接続されている複数の不揮発性記憶手段と、
前記不揮発性記憶手段に対してデータの書き込み若しくは読み出しを実行する記憶制御手段と、を備え、
前記記憶制御手段は、
前記複数の不揮発性記憶手段のうちのいずれかが、前記複数の不揮発性記憶手段とは別のバックアップデータを既に記憶している待避用不揮発性記憶手段に交換されたことを検知した場合に復元処理を開始し、
前記待避用不揮発性記憶手段に記憶されているバックアップデータを、該情報処理装置に接続されている前記不揮発性記憶手段に対して戻すことにより復元処理を実行する、
ことを特徴とする情報処理装置。
【請求項１０】
前記記憶制御手段は、
前記複数ａ個の前記不揮発性記憶手段のうちの複数ｂ個のいずれかが複数ｂ個の前記待避用不揮発性記憶手段に交換され、複数ｃ（ｃ＝ａ−ｂ）個の前記不揮発性記憶手段が情報処理装置に接続されている場合、複数ｄ（ｄはｂあるいはｃのいずれか小さい方）個で並行して、前記待避用不揮発性記憶手段に記憶されているバックアップデータを、該情報処理装置に接続されている前記不揮発性記憶手段に対して戻すことにより復元処理を実行する、
ことを特徴とする請求項８または請求項９に記載の情報処理装置。
【請求項１１】
前記記憶制御手段は、
前記複数２ｎ個の前記不揮発性記憶手段のうちの複数ｎ個のいずれかが複数ｎ個の前記待避用不揮発性記憶手段に交換され、複数ｎ個の前記不揮発性記憶手段が情報処理装置に接続されている場合、複数ｎ個で並行して、前記待避用不揮発性記憶手段に記憶されているバックアップデータを、該情報処理装置に接続されている前記不揮発性記憶手段に対して戻すことにより復元処理を実行する、
ことを特徴とする請求項８または請求項９に記載の情報処理装置。
【請求項１２】
各種表示を行う表示手段を備え、
前記記憶制御手段は、該情報処理装置に接続されている前記不揮発性記憶手段に対して前記待避用不揮発性記憶手段から復元処理を実行した後、未完了の復元処理を実行するために、前記不揮発性記憶手段または前記待避用不揮発性記憶手段の交換を促すメッセージを前記表示手段に表示する、
ことを特徴とする請求項８−１１のいずれか一項に記載の情報処理装置。
【請求項１３】
情報処理装置の動作を制御する制御手段を備え、
前記復元処理を実行中に該情報処理装置のバックアップ処理以外の動作要求があった場合には、該情報処理装置の動作として前記不揮発性記憶手段を使用しない動作モードで動作するよう各部を制御する、
ことを特徴とする請求項８−１２のいずれか一項に記載の情報処理装置。
【請求項１４】
情報処理装置の動作を制御する制御手段を備え、
前記復元処理を実行中には、該情報処理装置のバックアップ処理以外の動作要求があっても該情報処理装置の動作を許可しない、
ことを特徴とする請求項８−１２のいずれか一項に記載の情報処理装置。
【請求項１５】
前記記憶制御手段は、前記不揮発性記憶手段と交換されて情報処理装置に装着される待避用不揮発性記憶手段の装着位置を前記表示手段に表示する、
ことを特徴とする請求項１−１４のいずれか一項に記載の情報処理装置。
【請求項１６】
前記不揮発性記憶手段と交換されて情報処理装置に装着される待避用不揮発性記憶手段の装着位置が、前記情報処理装置上に表示されている、
ことを特徴とする請求項１−１５のいずれか一項に記載の情報処理装置。
【発明の詳細な説明】
【技術分野】
【０００１】
本発明は、データを保存するために着脱可能に接続されている複数の不揮発性記憶手段を備えた情報処理装置におけるバックアップ処理の改善に関する。
【背景技術】
【０００２】
各種の情報処理装置では、大容量の不揮発性記憶手段として、一般的にはハードディスクドライブを使用している。
そして、この種の情報処理装置では、ハードディスクドライブの障害発生によるデータ消失を防止するため、定期的にバックアップとしてデータを他の不揮発性記憶手段（待避用不揮発性記憶手段）に待避させるようにしている。
【０００３】
これにより、万が一、障害が発生した場合には、待避用不揮発性記憶手段からデータを書き戻すことで、情報処理装置の動作を保証するようにしている。
なお、この種のバックアップ処理では、ジョブあるいはファイル毎のバックアップと、ハードディスクドライブ毎全体のバックアップとしてのフルバックアップとの２種類のバックアップが存在している。
【０００４】
ここで、ジョブあるいはファイル毎のバックアップはネットワーク経由で待避用不揮発性記憶手段にバックアップすることが可能である。
しかし、ハードディスクドライブ毎を単位とするフルバックアップの場合には複写するデータが膨大になるため、同じ装置内で隣接するインタフェースにバックアップ元のハードディスクドライブとバックアップ先の待避用不揮発性記憶手段とを接続してバックアップ処理を実行することが望ましい。
【０００５】
また、カラー画像処理装置などの場合には、記録色（たとえば、ＹＭＣＫあるいは、ＲＧＢ）毎にハードディスクドライブを備えているため、全てのハードディスクドライブでバックアップ処理を実行するとなると、台数分の処理時間がかかるという問題も生じる。
【０００６】
なお、この種のバックアップ処理については、以下の特許文献１に効率的なバックアップ処理についての提案がなされている。
【先行技術文献】
【特許文献】
【０００７】
【特許文献１】特開２００２−２７８７０６号公報
【発明の概要】
【発明が解決しようとする課題】
【０００８】
以上の特許文献１では、装置に必要とされるハードディスクドライブに加え、バックアップ用のハードディスクドライブを加えて、装置内に予め搭載しておく。
これにより、装置内部で、データ用のハードディスクドライブからバックアップ用のハードディスクドライブへのバックアップを、効率的に実行することが可能になる。
【０００９】
ただし、この特許文献１のバックアップシステムでは、このバックアップ用のハードディスクドライブを予め備えて構成しておく必要がある。このため、ハードディスクドライブの設置スペース（スロット）、インタフェース、ハードディスクコントローラ、電源容量、信号ケーブル、放熱など、全ての点において、データ用のハードディスクドライブだけの通常のシステムよりもコスト，スペース，消費電力などが余分にかかってしまう問題がある。
【００１０】
なお、この問題は、ハードディスクドライブを用いた場合だけではなく、各種の不揮発性記憶手段においてバックアップ処理を実行する場合に、同様に発生するものである。
本発明は以上の問題点を解決するものであり、データを保存する不揮発性記憶手段のバックアップを効率的に実行できる情報処理装置を実現することを目的とする。
【課題を解決するための手段】
【００１１】
上述した課題を解決する本願発明は、以下に述べる通りである。
（１）請求項１記載の発明は、データを保存するために情報処理装置に対して着脱可能に接続されている複数の不揮発性記憶手段と、前記不揮発性記憶手段に対してデータの書き込み若しくは読み出しを実行する記憶制御手段と、を備え、前記記憶制御手段は、バックアップ処理実行時には、前記複数の不揮発性記憶手段のうちのいずれかが、前記複数の不揮発性記憶手段とは別に用意された、バックアップデータを記憶させる待避用不揮発性記憶手段に交換されたことを検知し、該情報処理装置に接続されている前記不揮発性記憶手段に記憶されたデータをバックアップデータとして前記待避用不揮発性記憶手段に記憶させる、ことを特徴とする情報処理装置である。
【００１２】
（２）請求項２記載の発明は、データを保存するために情報処理装置に対して着脱可能に接続されている複数の不揮発性記憶手段と、前記不揮発性記憶手段に対してデータの書き込み若しくは読み出しを実行する記憶制御手段と、を備え、前記記憶制御手段は、前記複数の不揮発性記憶手段のうちのいずれかが、前記複数の不揮発性記憶手段とは別に用意された、バックアップデータを記憶させる待避用不揮発性記憶手段に交換されたことを検知した場合にバックアップ処理を開始し、該情報処理装置に接続されている前記不揮発性記憶手段に記憶されたデータをバックアップデータとして前記待避用不揮発性記憶手段に記憶させる、ことを特徴とする情報処理装置である。
【００１３】
（３）請求項３記載の発明は、前記記憶制御手段は、前記複数ａ個の前記不揮発性記憶手段のうちの複数ｂ個のいずれかが複数ｂ個の前記待避用不揮発性記憶手段に交換され、複数ｃ（ｃ＝ａ−ｂ）個の前記不揮発性記憶手段が情報処理装置に接続されている場合、複数ｄ（ｄはｂあるいはｃのいずれか小さい方）個の、該情報処理装置に接続されている前記不揮発性記憶手段に記憶されたデータをバックアップデータとして前記待避用不揮発性記憶手段に並行して記憶させる、ことを特徴とする請求項１または請求項２に記載の情報処理装置である。
【００１４】
（４）請求項４記載の発明は、前記記憶制御手段は、前記複数２ｎ個の前記不揮発性記憶手段のうちの複数ｎ個のいずれかが複数ｎ個の前記待避用不揮発性記憶手段に交換され、複数ｎ個の前記不揮発性記憶手段が情報処理装置に接続されている場合、複数ｎ個の、該情報処理装置に接続されている前記不揮発性記憶手段に記憶されたデータをバックアップデータとして前記待避用不揮発性記憶手段に並行して記憶させる、ことを特徴とする請求項１または請求項２に記載の情報処理装置である。
【００１５】
（５）請求項５記載の発明は、各種表示を行う表示手段を備え、前記記憶制御手段は、該情報処理装置に接続されている前記不揮発性記憶手段に記憶されたデータをバックアップデータとして前記待避用不揮発性記憶手段に記憶させた後、バックアップ処理が未完了の前記不揮発性記憶手段のバックアップ処理を実行するために、前記不揮発性記憶手段または前記待避用不揮発性記憶手段の交換を促すメッセージを前記表示手段に表示する、ことを特徴とする請求項１−４のいずれか一項に記載の情報処理装置である。
【００１６】
（６）請求項６記載の発明は、情報処理装置の動作を制御する制御手段を備え、前記バックアップ処理を実行中に該情報処理装置のバックアップ処理以外の動作要求があった場合には、該情報処理装置の動作として前記不揮発性記憶手段を使用しない動作モードで動作するよう各部を制御する、ことを特徴とする請求項１−５のいずれか一項に記載の情報処理装置である。
【００１７】
（７）請求項７記載の発明は、情報処理装置の動作を制御する制御手段を備え、前記バックアップ処理を実行中には、該情報処理装置のバックアップ処理以外の動作要求があっても該情報処理装置の動作を許可しない、ことを特徴とする請求項１−５のいずれか一項に記載の情報処理装置である。
【００１８】
（８）請求項８記載の発明は、データを保存するために情報処理装置に対して着脱可能に接続されている複数の不揮発性記憶手段と、前記不揮発性記憶手段に対してデータの書き込み若しくは読み出しを実行する記憶制御手段と、を備え、前記記憶制御手段は、バックアップデータを前記不揮発性記憶手段に戻す復元処理の実行時には、前記複数の不揮発性記憶手段のうちのいずれかが、前記複数の不揮発性記憶手段とは別のバックアップデータを既に記憶している待避用不揮発性記憶手段に交換されたことを検知し、前記待避用不揮発性記憶手段に記憶されているバックアップデータを、該情報処理装置に接続されている前記不揮発性記憶手段に対して戻すことにより復元処理を実行する、ことを特徴とする情報処理装置である。
【００１９】
（９）請求項９記載の発明は、データを保存するために情報処理装置に対して着脱可能に接続されている複数の不揮発性記憶手段と、前記不揮発性記憶手段に対してデータの書き込み若しくは読み出しを実行する記憶制御手段と、を備え、前記記憶制御手段は、前記複数の不揮発性記憶手段のうちのいずれかが、前記複数の不揮発性記憶手段とは別のバックアップデータを既に記憶している待避用不揮発性記憶手段に交換されたことを検知した場合に復元処理を開始し、前記待避用不揮発性記憶手段に記憶されているバックアップデータを、該情報処理装置に接続されている前記不揮発性記憶手段に対して戻すことにより復元処理を実行する、ことを特徴とする情報処理装置である。
【００２０】
（１０）請求項１０記載の発明は、前記記憶制御手段は、前記複数ａ個の前記不揮発性記憶手段のうちの複数ｂ個のいずれかが複数ｂ個の前記待避用不揮発性記憶手段に交換され、複数ｃ（ｃ＝ａ−ｂ）個の前記不揮発性記憶手段が情報処理装置に接続されている場合、複数ｄ（ｄはｂあるいはｃのいずれか小さい方）個で並行して、前記待避用不揮発性記憶手段に記憶されているバックアップデータを、該情報処理装置に接続されている前記不揮発性記憶手段に対して戻すことにより復元処理を実行する、ことを特徴とする請求項８または請求項９に記載の情報処理装置である。
【００２１】
（１１）請求項１１記載の発明は、前記記憶制御手段は、前記複数２ｎ個の前記不揮発性記憶手段のうちの複数ｎ個のいずれかが複数ｎ個の前記待避用不揮発性記憶手段に交換され、複数ｎ個の前記不揮発性記憶手段が情報処理装置に接続されている場合、複数ｎ個で並行して、前記待避用不揮発性記憶手段に記憶されているバックアップデータを、該情報処理装置に接続されている前記不揮発性記憶手段に対して戻すことにより復元処理を実行する、ことを特徴とする請求項８または請求項９に記載の情報処理装置である。
【００２２】
（１２）請求項１２記載の発明は、各種表示を行う表示手段を備え、前記記憶制御手段は、該情報処理装置に接続されている前記不揮発性記憶手段に対して前記待避用不揮発性記憶手段から復元処理を実行した後、未完了の復元処理を実行するために、前記不揮発性記憶手段または前記待避用不揮発性記憶手段の交換を促すメッセージを前記表示手段に表示する、ことを特徴とする請求項８−１１のいずれか一項に記載の情報処理装置である。
【００２３】
（１３）請求項１３記載の発明は、情報処理装置の動作を制御する制御手段を備え、前記復元処理を実行中に該情報処理装置のバックアップ処理以外の動作要求があった場合には、該情報処理装置の動作として前記不揮発性記憶手段を使用しない動作モードで動作するよう各部を制御する、ことを特徴とする請求項８−１２のいずれか一項に記載の情報処理装置である。
【００２４】
（１４）請求項１４記載の発明は、情報処理装置の動作を制御する制御手段を備え、前記復元処理を実行中には、該情報処理装置のバックアップ処理以外の動作要求があっても該情報処理装置の動作を許可しない、ことを特徴とする請求項８−１２のいずれか一項に記載の情報処理装置である。
【００２５】
（１５）請求項１５記載の発明は、前記記憶制御手段は、前記不揮発性記憶手段と交換されて情報処理装置に装着される待避用不揮発性記憶手段の装着位置を前記表示手段に表示する、ことを特徴とする請求項１−１４のいずれか一項に記載の情報処理装置である。
【００２６】
（１６）請求項１６記載の発明は、前記不揮発性記憶手段と交換されて情報処理装置に装着される待避用不揮発性記憶手段の装着位置が、前記情報処理装置上に表示されている、ことを特徴とする請求項１−１５のいずれか一項に記載の情報処理装置である。
【発明の効果】
【００２７】
以上の発明によれば、以下のような効果を得ることができる。
（１）請求項１記載の情報処理装置の発明では、データを保存するために複数の不揮発性記憶手段が情報処理装置に着脱可能に接続されている場合に、記憶制御手段は、バックアップ処理実行時には、複数の不揮発性記憶手段のうちのいずれかが、前記複数の不揮発性記憶手段とは別に用意された、バックアップデータを記憶させる待避用不揮発性記憶手段に交換されたことを検知し、該情報処理装置に接続されている不揮発性記憶手段に記憶されたデータをバックアップデータとして待避用不揮発性記憶手段に記憶させる。
【００２８】
すなわち、バックアップ処理実行モード時に、情報処理装置でそれまでデータ保存に使用していた複数の不揮発性記憶手段のいずれかが取り外され、退避用不揮発性記憶手段が接続されることで、該不揮発性記憶手段の交換を検知した記憶制御手段が、該情報処理装置に接続されている不揮発性記憶手段に記憶されたデータをバックアップデータとして待避用不揮発性記憶手段に記憶させる。
【００２９】
したがって、この情報処理装置では、退避用不揮発性記憶手段の設置スペース（スロット）、インタフェース、退避用不揮発性記憶手段のコントローラ、電源容量、信号ケーブル、放熱など、全ての点において、余分に設ける必要がなくなる。この結果、退避専用の余分な構成を必要とせず、データを保存する不揮発性記憶手段のバックアップを効率的に実行することが可能になる。
【００３０】
（２）請求項２記載の情報処理装置の発明では、データを保存するために複数の不揮発性記憶手段が情報処理装置に着脱可能に接続されている場合に、記憶制御手段は、複数の不揮発性記憶手段のうちのいずれかが、前記複数の不揮発性記憶手段とは別に用意された、バックアップデータを記憶させる待避用不揮発性記憶手段に交換されたことを検知した場合にバックアップ処理を開始し、該情報処理装置に接続されている不揮発性記憶手段に記憶されたデータをバックアップデータとして待避用不揮発性記憶手段に記憶させる。
【００３１】
すなわち、情報処理装置でそれまでデータ保存に使用していた複数の不揮発性記憶手段のいずれかが取り外され、退避用不揮発性記憶手段が接続されることで、該不揮発性記憶手段の交換を検知した記憶制御手段が、自動的にバックアップ処理を開始し、該情報処理装置に接続されている不揮発性記憶手段に記憶されたデータをバックアップデータとして待避用不揮発性記憶手段に記憶させる。
【００３２】
したがって、この情報処理装置では、退避用不揮発性記憶手段の設置スペース（スロット）、インタフェース、退避用不揮発性記憶手段のコントローラ、電源容量、信号ケーブル、放熱など、全ての点において、余分に設ける必要がなくなる。この結果、退避専用の余分な構成を必要とせず、データを保存する不揮発性記憶手段のバックアップを効率的に実行することが可能になる。
【００３３】
（３）請求項３記載の情報処理装置の発明では、上記（１）または（２）において、当初は複数ａ個の不揮発性記憶手段が情報処理装置に接続されており、この複数ａ個の不揮発性記憶手段のうちの複数ｂ個のいずれかが複数ｂ個の待避用不揮発性記憶手段に交換されて、複数ｃ（ｃ＝ａ−ｂ）個の不揮発性記憶手段が情報処理装置に接続されている場合、記憶制御手段は、複数ｄ（ｄはｂあるいはｃのいずれか小さい方）個の、該情報処理装置に接続されている不揮発性記憶手段に記憶されたデータをバックアップデータとして待避用不揮発性記憶手段に並行して記憶させる。
【００３４】
したがって、この情報処理装置では、退避用不揮発性記憶手段の設置スペース（スロット）、インタフェース、退避用不揮発性記憶手段のコントローラ、電源容量、信号ケーブル、放熱など、全ての点において、余分に設ける必要がなくなる。この結果、退避専用の余分な構成を必要とせず、データを保存する不揮発性記憶手段のバックアップを効率的に実行することが可能になる。
【００３５】
さらに、この情報処理装置では、複数ｄ個の不揮発性記憶手段から退避用不揮発性記憶手段に並行してバックアップ処理を実行することができ、退避用不揮発性記憶手段の設置スペース（スロット）、インタフェース、退避用不揮発性記憶手段のコントローラ、電源容量、信号ケーブル、放熱などを、増設することなく、効率的なバックアップ処理が可能になる。
【００３６】
（４）請求項４記載の情報処理装置の発明では、上記（１）または（２）において、当初は複数２ｎ個の不揮発性記憶手段が情報処理装置に接続されており、この複数２ｎ個の不揮発性記憶手段のうちの複数ｎ個のいずれかが複数ｎ個の待避用不揮発性記憶手段に交換されて、複数ｎ（ｎ＝２ｎ−ｎ）個の不揮発性記憶手段が情報処理装置に接続されている場合、記憶制御手段は、複数ｎ個の、該情報処理装置に接続されている不揮発性記憶手段に記憶されたデータをバックアップデータとして待避用不揮発性記憶手段に並行して記憶させる。
【００３７】
したがって、この情報処理装置では、退避用不揮発性記憶手段の設置スペース（スロット）、インタフェース、退避用不揮発性記憶手段のコントローラ、電源容量、信号ケーブル、放熱など、全ての点において、余分に設ける必要がなくなる。この結果、退避専用の余分な構成を必要とせず、データを保存する不揮発性記憶手段のバックアップを効率的に実行することが可能になる。
【００３８】
さらに、この情報処理装置では、複数ｎ個の不揮発性記憶手段から退避用不揮発性記憶手段に並行してバックアップ処理を実行することができ、退避用不揮発性記憶手段の設置スペース（スロット）、インタフェース、退避用不揮発性記憶手段のコントローラ、電源容量、信号ケーブル、放熱などを、増設することなく、効率的なバックアップ処理が可能になる。
【００３９】
（５）請求項５記載の情報処理装置の発明では、上記（１）−（４）において、各種表示を行う表示手段を備えており、記憶制御手段は、該情報処理装置に接続されている不揮発性記憶手段に記憶されたデータをバックアップデータとして待避用不揮発性記憶手段に記憶させた後、バックアップ処理が未完了の不揮発性記憶手段のバックアップ処理を実行するために、不揮発性記憶手段または待避用不揮発性記憶手段の交換を促すメッセージを表示手段に表示する。
【００４０】
これにより、この情報処理装置では、退避用不揮発性記憶手段の設置スペース（スロット）、インタフェース、退避用不揮発性記憶手段のコントローラ、電源容量、信号ケーブル、放熱など、全ての点において、余分に設ける必要がなく、すべての不揮発性記憶手段のバックアップ処理を実行することが可能になる。
【００４１】
（６）請求項６記載の情報処理装置の発明では、上記（１）−（５）において、バックアップ処理を実行中に該情報処理装置のバックアップ処理以外の動作要求があった場合には、該情報処理装置の動作として不揮発性記憶手段を使用しない動作モードで動作するよう、制御部が各部を制御する。
【００４２】
これにより、実行中のバックアップ処理が中断されることが無く、また、情報処理装置としての一部の動作も不揮発性記憶手段を使用せずに可能な範囲で実行できるため、効率の良いバックアップ処理と情報処理装置の動作との両立が実現可能になる。
【００４３】
（７）請求項７記載の情報処理装置の発明では、上記（１）−（５）において、バックアップ処理を実行中に該情報処理装置のバックアップ処理以外の動作要求があった場合には、制御部が、該情報処理装置の実行中のバックアップ処理以外の動作を許可しない。
【００４４】
これにより、実行中のバックアップ処理が中断されることが無く、また、情報処理装置としてのバックアップ処理以外の動作は不許可となってバックアップ処理が優先となるため、バックアップ処理を確実に実行することが可能になる。
【００４５】
（８）請求項８記載の情報処理装置の発明では、データを保存するために複数の不揮発性記憶手段が情報処理装置に着脱可能に接続されている場合に、記憶制御手段は、バックアップデータを不揮発性記憶手段に戻す復元処理の実行時には、複数の不揮発性記憶手段のうちのいずれかが、前記複数の不揮発性記憶手段とは別のバックアップデータを既に記憶している待避用不揮発性記憶手段に交換されたことを検知し、待避用不揮発性記憶手段に記憶されているバックアップデータを、該情報処理装置に接続されている不揮発性記憶手段に対して戻すことにより復元処理を実行する。
【００４６】
すなわち、復元処理モード時に、情報処理装置でそれまでデータ保存に使用していた複数の不揮発性記憶手段のいずれかが取り外され、バックアップデータ記憶済みの退避用不揮発性記憶手段が接続されることで、該不揮発性記憶手段の交換を検知した記憶制御手段が、待避用不揮発性記憶手段に記憶されているバックアップデータを、該情報処理装置に接続されている不揮発性記憶手段に対して戻すことにより復元処理を実行する。
【００４７】
したがって、この情報処理装置では、退避用不揮発性記憶手段の設置スペース（スロット）、インタフェース、退避用不揮発性記憶手段のコントローラ、電源容量、信号ケーブル、放熱など、全ての点において、余分に設ける必要がなくなる。この結果、不揮発性記憶手段の復元処理を効率的に実行することが可能になる。
【００４８】
（９）請求項９記載の情報処理装置の発明では、記憶制御手段は、複数の不揮発性記憶手段のうちのいずれかが、前記複数の不揮発性記憶手段とは別のバックアップデータを既に記憶している待避用不揮発性記憶手段に交換されたことを検知した場合に復元処理を開始し、待避用不揮発性記憶手段に記憶されているバックアップデータを、該情報処理装置に接続されている不揮発性記憶手段に対して戻すことにより復元処理を実行する。
【００４９】
すなわち、情報処理装置でそれまでデータ保存に使用していた複数の不揮発性記憶手段のいずれかが取り外され、バックアップデータ記憶済みの退避用不揮発性記憶手段が接続されることで、該不揮発性記憶手段の交換を検知した記憶制御手段が、自動的に、待避用不揮発性記憶手段に記憶されているバックアップデータを、該情報処理装置に接続されている不揮発性記憶手段に対して戻すことにより復元処理を実行する。
【００５０】
したがって、この情報処理装置では、退避用不揮発性記憶手段の設置スペース（スロット）、インタフェース、退避用不揮発性記憶手段のコントローラ、電源容量、信号ケーブル、放熱など、全ての点において、余分に設ける必要がなくなる。この結果、不揮発性記憶手段の復元処理を効率的に実行することが可能になる。
【００５１】
（１０）請求項１０記載の情報処理装置の発明では、上記（８）または（９）において、当初は複数ａ個の不揮発性記憶手段が情報処理装置に接続されており、この複数ａ個の不揮発性記憶手段のうちの複数ｂ個のいずれかが複数ｂ個のバックアップデータ記憶済みの待避用不揮発性記憶手段に交換されて、複数ｃ（ｃ＝ａ−ｂ）個の不揮発性記憶手段が情報処理装置に接続されている場合、記憶制御手段は、複数ｄ（ｄはｂあるいはｃのいずれか小さい方）個で並行して、待避用不揮発性記憶手段に記憶されているバックアップデータを、該情報処理装置に接続されている不揮発性記憶手段に対して戻すことにより復元処理を実行する。
【００５２】
したがって、この情報処理装置では、退避用不揮発性記憶手段の設置スペース（スロット）、インタフェース、退避用不揮発性記憶手段のコントローラ、電源容量、信号ケーブル、放熱など、全ての点において、余分に設ける必要がなくなる。この結果、データを保存する不揮発性記憶手段の復元処理を効率的に実行することが可能になる。
【００５３】
さらに、この情報処理装置では、複数ｄ個のバックアップデータ記憶済みの退避用不揮発性記憶手段から不揮発性記憶手段に並行して復元処理を実行することができ、退避用不揮発性記憶手段の設置スペース（スロット）、インタフェース、退避用不揮発性記憶手段のコントローラ、電源容量、信号ケーブル、放熱などを、増設することなく、効率的な復元処理が可能になる。
【００５４】
（１１）請求項１１記載の情報処理装置の発明では、上記（８）または（９）において、当初は複数２ｎ個の不揮発性記憶手段が情報処理装置に接続されており、この複数２ｎ個の不揮発性記憶手段のうちの複数ｎ個のいずれかが複数ｎ個のバックアップデータ記憶済みの待避用不揮発性記憶手段に交換されて、複数ｎ（ｎ＝２ｎ−ｎ）個の不揮発性記憶手段が情報処理装置に接続されている場合、記憶制御手段は、複数ｎ個で並行して、待避用不揮発性記憶手段に記憶されているバックアップデータを、該情報処理装置に接続されている不揮発性記憶手段に対して戻すことにより復元処理を実行する。
【００５５】
したがって、この情報処理装置では、退避用不揮発性記憶手段の設置スペース（スロット）、インタフェース、退避用不揮発性記憶手段のコントローラ、電源容量、信号ケーブル、放熱など、全ての点において、余分に設ける必要がなくなる。この結果、データを保存する不揮発性記憶手段の復元処理を効率的に実行することが可能になる。
【００５６】
さらに、この情報処理装置では、複数ｄ個のバックアップデータ記憶済みの退避用不揮発性記憶手段から不揮発性記憶手段に並行して復元処理を実行することができ、退避用不揮発性記憶手段の設置スペース（スロット）、インタフェース、退避用不揮発性記憶手段のコントローラ、電源容量、信号ケーブル、放熱などを、増設することなく、効率的な復元処理が可能になる。
【００５７】
（１２）請求項１２記載の情報処理装置の発明では、上記（８）−（１１）において、各種表示を行う表示手段を備え、記憶制御手段は、該情報処理装置に接続されている不揮発性記憶手段に対して待避用不揮発性記憶手段から復元処理を実行した後、未完了の復元処理を実行するために、不揮発性記憶手段または待避用不揮発性記憶手段の交換を促すメッセージを表示手段に表示する。
【００５８】
これにより、この情報処理装置では、退避用不揮発性記憶手段の設置スペース（スロット）、インタフェース、退避用不揮発性記憶手段のコントローラ、電源容量、信号ケーブル、放熱など、全ての点において、余分に設ける必要がなく、すべての不揮発性記憶手段の復元処理を実行することが可能になる。
【００５９】
（１３）請求項１３記載の情報処理装置の発明では、上記（８）−（１２）において、復元処理を実行中に該情報処理装置のバックアップ処理以外の動作要求があった場合には、該情報処理装置の動作として不揮発性記憶手段を使用しない動作モードで動作するよう、制御部が各部を制御する。
【００６０】
これにより、実行中の復元処理が中断されることが無く、また、情報処理装置としての一部の動作も不揮発性記憶手段を使用せずに可能な範囲で実行できるため、効率の良い復元処理と情報処理装置の動作との両立が実現可能になる。
【００６１】
（１４）請求項１４記載の情報処理装置の発明では、上記（８）−（１２）において、復元処理を実行中に該情報処理装置のバックアップ処理以外の動作要求があった場合には、制御部が、該情報処理装置の実行中の復元処理以外の動作を許可しない。
【００６２】
これにより、実行中の復元処理が中断されることが無く、また、情報処理装置としてのバックアップ処理以外の動作は不許可となって復元処理が優先となるため、復元処理を確実に実行することが可能になる。
【００６３】
（１５）請求項１５記載の情報処理装置の発明では、上記（１）−（１４）において、記憶制御手段は、不揮発性記憶手段と交換されて情報処理装置に装着される待避用不揮発性記憶手段の装着位置を表示手段に表示する。
【００６４】
これにより、この情報処理装置では、退避用不揮発性記憶手段の設置スペース（スロット）、インタフェース、退避用不揮発性記憶手段のコントローラ、電源容量、信号ケーブル、放熱など、全ての点において、余分に設ける必要がなく、確実に、バックアップ処理と復元処理とを実行することが可能になる。
【００６５】
（１６）請求項１６記載の情報処理装置の発明では、上記（１）−（１５）において、不揮発性記憶手段と交換されて情報処理装置に装着される待避用不揮発性記憶手段の装着位置が、情報処理装置上に表示されている。
【００６６】
これにより、この情報処理装置では、退避用不揮発性記憶手段の設置スペース（スロット）、インタフェース、退避用不揮発性記憶手段のコントローラ、電源容量、信号ケーブル、放熱など、全ての点において、余分に設ける必要がなく、確実に、バックアップ処理と復元処理とを実行することが可能になる。
【図面の簡単な説明】
【００６７】
【図１】本発明の実施形態の概略構成を示す構成図である
【図２】本発明の実施形態の動作を示すフローチャートである。
【図３】本発明の実施形態を説明する説明図である。
【図４】本発明の実施形態を説明する説明図である。
【図５】本発明の実施形態を説明する説明図である。
【図６】本発明の実施形態を説明する説明図である。
【図７】本発明の実施形態を説明する説明図である。
【図８】本発明の実施形態を説明する説明図である。
【図９】本発明の実施形態を説明する説明図である。
【図１０】本発明の実施形態を説明する説明図である。
【図１１】本発明の実施形態を説明する説明図である。
【図１２】本発明の実施形態を説明する説明図である。
【図１３】本発明の実施形態を説明する説明図である。
【図１４】本発明の実施形態を説明する説明図である。
【発明を実施するための形態】
【００６８】
以下、図面を参照して本発明の情報処理装置を実施するための形態（実施形態）を詳細に説明する。
〔情報処理装置１００の構成（１）〕
ここで、第一実施形態の情報処理装置１００の構成を、図１（ブロック図）に基づいて詳細に説明する。
【００６９】
なお、この実施形態の情報処理装置１００としては、各種の情報処理装置に適用が可能であるが、ここでは、ネットワークに接続された、スキャナ，複写機，プリンタ，ファクシミリ装置の機能を備えた複合機（ＭＦＰ）を具体例にして説明を続ける。
【００７０】
また、情報処理装置１００として既知であって、本実施形態の特徴的な動作や制御に直接に関係しない一般的な部分についての説明は省略してある。
本実施形態の情報処理装置１００は、各部を制御する制御部としてのＣＰＵ（Central Processing Unit）１０１、システムバス１０２、操作表示部１０３、ＲＯＭ（Read Only Memory）１０５、ＲＡＭ（Random Access Memory）１０７、画像入力部１１０、画像処理部１２０、画像出力部１３０、ＨＤＤ（Hard Disk Drive）コントローラ１７０（１７０-1〜１７０-n）、ＨＤＤ１８０（１８０-1〜１８０-n）、を備えて構成される。ここで、情報処理装置１００を構成する各部はシステムバス１０２を介して相互に接続されている。
【００７１】
ＣＰＵ１０１は、インストールされているＯＳ（Operating System）またはファームウェア等に基づいて、情報処理装置１００の制御プログラムに従って、情報処理装置１００を構成する各部を制御して、各種の演算処理を行うことによって、情報処理装置を統括的に制御する。
【００７２】
操作表示部１０３にはＣＰＵ１０１からの指示による各種メッセージ表示がなされ、また、利用者からの操作がＣＰＵ１０１に伝達される。
ＲＯＭ１０５は、ＢＩＯＳ（Basic Input Output System）や各種プログラムを記憶する読み出し専用のメモリである。ここで、ＢＩＯＳは、ＣＰＵ１０１の基本動作を制御するためのプログラム（ファームウェア）である。また、ＢＩＯＳは、ＣＰＵ１０１に起動イベントが発生したときに、最初に実行され、各コンポーネントを初期化するためのＰＯＳＴ（Power On Self Test）処理を実行するものである。
【００７３】
ＲＡＭ１０７は、ＣＰＵ１０１の作業用領域（メインメモリ）として使用される揮発性のメモリである。例えばＨＤＤ１８０等に記憶されたＯＳや制御プログラム、処理データ等を一時的に記憶するメモリである。
【００７４】
画像入力部１１０は、原稿から画像を読み取って画像データを入力するスキャナなどの画像入力手段である。原稿から画像を読み取って画像データを取得する画像入力部１１０は、走査光源部、走査ミラー部、結像レンズ、ＣＣＤイメージセンサから構成される。なお、情報処理装置１００が映像録画装置などの場合には、画像入力部１１０としては、映像入力端子、チューナ、ＤＶＤプレーヤなどが該当する。
【００７５】
画像処理部１２０としては、情報処理装置１００において処理すべきデータ（画像データあるいは映像データ）を必要に応じて画像処理する。なお、この際に、処理前あるいは処理中あるいは処理後の画像データを、画像出力までの間にスプールデータとしてＨＤＤ１８０に記憶させる。
【００７６】
画像出力部１３０としては、情報処理装置１００が上述した複合機である場合には、記録材上にトナー像を形成するプリンタとして構成することが可能である。なお、情報処理装置１００が映像録画装置などの場合には、画像出力部１３０としては、映像出力端子、映像表示装置（ディスプレイ）などが該当する。
【００７７】
ＨＤＤコントローラ１７０は、以下のＨＤＤ１８０のライト（書き込み）／リード（読み出し）を制御する記憶制御手段であり、ＣＰＵ１０１と共に記憶制御手段を構成している。
【００７８】
ＨＤＤ１８０は、ディスク型記録媒体にデータを記憶させる不揮発性の記憶部（請求項における不揮発性記憶手段）を構成しており、ランダムアクセス可能な大容量の記憶装置である。なお、ここでは、複数のＨＤＤ１８０-1〜１８０-2が情報処理装置１００に接続される。
【００７９】
また、このＨＤＤ１８０は、情報処理装置１００に着脱に構成されて接続されている。また、ここでは、データを記憶する通常のＨＤＤ１８０が接続されているが、後述するバックアップ処理、バックアップ復元処理（以下、単に復元処理）の際には、退避用不揮発性記憶手段としての退避用ＨＤＤが接続される。
【００８０】
この図１に示した具体例では、情報処理装置１００の第１スロットにＨＤＤコントローラ１７０-1とＨＤＤ１８０-1が接続されており、第２スロットにＨＤＤコントローラ１７０-2とＨＤＤ１８０-2が接続されており、２組のＨＤＤが接続された状態を例示している。
【００８１】
〔情報処理装置１００の動作（１）〕
以下、図２のフローチャート、図３以降の説明図を参照して、本実施形態の情報処理装置１００のバックアップ処理の動作を説明する。
【００８２】
まず、バックアップ処理を実行する権限を有する利用者が、操作表示部１０３からバックアップ処理実行の指示を入力する。なお、この状態でのＨＤＤ１８０の接続状態は、図３（ａ）のようになっている。
【００８３】
そして、操作表示部１０３からの指示はＣＰＵ１０１に伝達され、この指示を受けたＣＰＵ１０１は情報処理装置１００をバックアップ処理実行モードに切り替える（図２中のステップＳ２０１，Ｓ２１１）。
【００８４】
ここで、ＣＰＵ１０１は、操作表示部１０３にＨＤＤ１８０の交換を促すメッセージを表示する（図２中のステップＳ２１２）。ここでは、たとえば、図４（ａ）のようなメッセージを表示し、図３（ａ）のような状態から、図３（ｂ）のような状態、すなわち、第１スロットに接続されているデータ用のＨＤＤ１８０-1を取り外し、代わりに、退避用のＨＤＤ１８０’-1に交換させる。
【００８５】
ここで、ＣＰＵ１０１はＨＤＤのＩＤなどを確認し、この図３（ｂ）のようにして第１スロットに退避用のＨＤＤ１８０’-1が接続されるまでメッセージを操作表示部１０３に表示し続ける（図２中のステップＳ２１３）。なお、交換すべきＨＤＤのスロット近傍で、ＬＥＤなどのパイロットランプを点灯させてもよい。
【００８６】
ここで、この図３（ｂ）のようにして第１スロットに退避用のＨＤＤ１８０’-1が接続されたことを、ＨＤＤ１８０’-1のＩＤなどから検知した場合（図２中のステップＳ２１３でＹＥＳ）、ＣＰＵ１０１は、第２スロットのＨＤＤ１８０-2に保存されているデータを読み出して、第１スロットに接続されている退避用のＨＤＤ１８０’-1にバックアップデータとしてコピーすることで、バックアップ処理を実行する（図２中のステップＳ２１４）。
【００８７】
ここで、ＣＰＵ１０１は、第２スロットのＨＤＤ１８０-2に保存されているデータをすべて第１スロットに接続されている退避用のＨＤＤ１８０’-1にバックアップデータとしてコピーし終わった時点で、ＨＤＤ１８０のＩＤを確認することで、情報処理装置１００に当初から接続されている各ＨＤＤ１８０の全てについてバックアップ処理を実行したかを確認する（図２中のステップＳ２１５）。
【００８８】
この時点では、第１スロットのＨＤＤ１８０-1に保存されているデータのバックアップ処理が完了していないため、ＣＰＵ１０１は、操作表示部１０３に図４（ｂ）のようなメッセージを表示し、図３（ｂ）のような状態から、図３（ｃ）のような状態、すなわち、第１スロットに接続されている退避用のＨＤＤ１８０’-1を取り外してデータ用のＨＤＤ１８０-1に交換させると共に第２スロットに接続されているデータ用のＨＤＤ１８０-2を取り外し、退避用のＨＤＤ１８０’-2に交換させる（図２中のステップＳ２１２）。
【００８９】
ここで、ＣＰＵ１０１はＨＤＤのＩＤなどを確認し、この図３（ｃ）のようにして各ＨＤＤが接続されるまでメッセージを操作表示部１０３に表示し続ける（図２中のステップＳ２１３）。なお、交換すべきＨＤＤのスロット近傍で、ＬＥＤなどのパイロットランプを点灯させてもよい。
【００９０】
ここで、この図３（ｃ）のようにして第１スロットにデータ用のＨＤＤ１８０-1が接続され、第２スロットに退避用のＨＤＤ１８０’-2が接続されたことを、ＨＤＤ１８０のＩＤなどから検知した場合（図２中のステップＳ２１３でＹＥＳ）、ＣＰＵ１０１は、第１スロットのＨＤＤ１８０-1に保存されているデータを読み出して、第２スロットに接続されている退避用のＨＤＤ１８０’-2にバックアップデータとしてコピーすることで、バックアップ処理を実行する（図２中のステップＳ２１４）。
【００９１】
ここで、ＣＰＵ１０１は、第１スロットのＨＤＤ１８０-1に保存されているデータをすべて第２スロットに接続されている退避用のＨＤＤ１８０’-2にバックアップデータとしてコピーし終わった時点で、ＨＤＤ１８０のＩＤを確認することで、情報処理装置１００に当初から接続されている各ＨＤＤ１８０の全てについてバックアップ処理を実行したかを確認する（図２中のステップＳ２１５）。
【００９２】
この時点では、第１スロットのＨＤＤ１８０-1に保存されているデータのバックアップ処理と、第２スロットのＨＤＤ１８０-2に保存されているデータのバックアップ処理と、が完了しているため、ＣＰＵ１０１は、操作表示部１０３に図４（ｃ）のようなメッセージを表示し、図３（ｃ）のような状態から、図３（ｄ）のような状態、すなわち、第２スロットに接続されている退避用のＨＤＤ１８０’-2を取り外してデータ用のＨＤＤ１８０-2に交換させて、図３（ａ）と同じ当初の状態に戻させる（図２中のステップＳ２１７）。
【００９３】
そして、この後に、ＣＰＵ１０１は、動作モードをバックアップ処理実行モードから通常動作モードに切り替え、情報処理装置１００を通常の動作に戻す（図２中のステップＳ２０２）。
【００９４】
以上のように、バックアップ処理実行モード時に、情報処理装置１００でそれまでデータ保存に使用していた複数のＨＤＤ１８０のいずれかが取り外され、退避用のＨＤＤ１８０’が接続されることで、該退避用のＨＤＤ１８０’の交換を検知したＣＰＵ１０１が、該情報処理装置に接続されているデータ用のＨＤＤ１８０に記憶されたデータをバックアップデータとして待避用のＨＤＤ１８０’に記憶させる。そして、この動作を交互に繰り返す。
【００９５】
したがって、この情報処理装置１００では、退避用のＨＤＤ１８０’のために、設置スペース（スロット）、インタフェース、コントローラ、電源容量、信号ケーブル、放熱など、全ての点において、退避用専用に余分に設ける必要がなくなる。この結果、退避専用の余分な構成を必要とせず、データを保存するＨＤＤ１８０のバックアップを効率的に実行することが可能になる。
【００９６】
なお、以上のバックアップ処理実行モード中に、情報処理装置１００のバックアップ処理以外の動作要求があった場合には、該情報処理装置１００の動作としてＨＤＤ１８０を使用しない動作モードで動作するよう、ＣＰＵ１０１が各部を制御する。これにより、実行中のバックアップ処理が中断されることが無く、また、情報処理装置１００としての一部の動作もＨＤＤ１８０を使用せずに可能な範囲で実行できるため、効率の良いバックアップ処理と情報処理装置１００の動作との両立が実現可能になる。
【００９７】
また、以上のバックアップ処理実行モード中に、該情報処理装置１００のバックアップ処理以外の動作要求があった場合には、ＣＰＵ１０１が、該情報処理装置１００の実行中のバックアップ処理以外の動作を許可しないようにしてもよい。これにより、実行中のバックアップ処理が中断されることが無く、また、情報処理装置１００としてのバックアップ処理以外の動作は不許可となってバックアップ処理が優先となるため、バックアップ処理を確実に実行することが可能になる。
【００９８】
なお、以上の場合に、通常時に第１スロットに接続されているＨＤＤ１８０-1とバックアップ処理時に第１スロットに装着されるＨＤＤ１８０’-1、通常時に第２スロットに接続されているＨＤＤ１８０-2とバックアップ処理時に第２スロットに装着されるＨＤＤ１８０’-2、を異なるスロットに装着しないよう、各ＨＤＤと情報処理装置１００のスロット付近に色分け表示や文字表示をすることが望ましい。
【００９９】
図５は、文字やマークによる表示をした様子であり、情報処理装置１００の各スロット付近に装着されるＨＤＤの表示１００ｍ-1、１００ｍ-2が付され、ＨＤＤ１８０-1には文字表示１８０ｍ-1、ＨＤＤ１８０-２には文字表示１８０ｍ-2が付されている。
【０１００】
また、以上の場合に、通常時に第１スロットに接続されているＨＤＤ１８０-1とバックアップ処理時に第１スロットに装着されるＨＤＤ１８０’-1、通常時に第２スロットに接続されているＨＤＤ１８０-2とバックアップ処理時に第２スロットに装着されるＨＤＤ１８０’-2、を異なるスロットに装着しないよう、各ＨＤＤと情報処理装置１００のスロットとで、コネクタ形状やスロット形状、凹凸などを設けることも望ましい。
【０１０１】
図６に示す例では、情報処理装置１００内のスロットの内部を外から見た外観図であり、内部に各スロット毎に異なる突起１００ｐ-1と１００ｐ-2とが設けてある。そして、第１スロットに接続されているＨＤＤ１８０-1とバックアップ処理時に第１スロットに装着されるＨＤＤ１８０’-1には、第１スロットの突起１００ｐ-1に対応した凹部（くぼみ）が設けられ、通常時に第２スロットに接続されているＨＤＤ１８０-2とバックアップ処理時に第２スロットに装着されるＨＤＤ１８０’-2には、第２スロットの突起１００ｐ-2に対応した凹部（くぼみ）が設けられているものとする。これにより、間違ったスロットへのＨＤＤ１８０の装着は不可能になる。
【０１０２】
図７に示す例では、第１スロットに接続されているＨＤＤ１８０-1とバックアップ処理時に第１スロットに装着されるＨＤＤ１８０’-1と、通常時に第２スロットに接続されているＨＤＤ１８０-2とバックアップ処理時に第２スロットに装着されるＨＤＤ１８０’-2とで、異なる形状で構成されているものとする。これにより、間違ったスロットへのＨＤＤ１８０の装着は不可能になる。
【０１０３】
図８に示す例では、第１スロットに接続されているＨＤＤ１８０-1とバックアップ処理時に第１スロットに装着されるＨＤＤ１８０’-1と、通常時に第２スロットに接続されているＨＤＤ１８０-2とバックアップ処理時に第２スロットに装着されるＨＤＤ１８０’-2とで、異なる形状で構成されているものとする。更に、内部に各スロット毎に異なる突起１００ｐ-1と１００ｐ-2とが設けてある。そして、第１スロットに接続されているＨＤＤ１８０-1とバックアップ処理時に第１スロットに装着されるＨＤＤ１８０’-1には、第１スロットの突起１００ｐ-1に対応した凹部（くぼみ）が設けられ、通常時に第２スロットに接続されているＨＤＤ１８０-2とバックアップ処理時に第２スロットに装着されるＨＤＤ１８０’-2には、第２スロットの突起１００ｐ-2に対応した凹部（くぼみ）が設けられているものとする。これにより、間違ったスロットへのＨＤＤ１８０の装着は不可能になる。
【０１０４】
また、図５−８の何れかを、適宜組み合わせた状態に構成してもよい。これにより、間違ったスロットへのＨＤＤ１８０の装着は更に不可能になる。
〔情報処理装置１００の動作（２）〕
以下、図２のフローチャート、図９以降の説明図を参照して、本実施形態の情報処理装置１００の復元処理の動作を説明する。
【０１０５】
まず、復元処理を実行する権限を有する利用者が、操作表示部１０３から復元処理実行の指示を入力する。なお、この状態でのＨＤＤ１８０の接続状態は、図９（ａ）のようになっている。
【０１０６】
そして、操作表示部１０３からの指示はＣＰＵ１０１に伝達され、この指示を受けたＣＰＵ１０１は情報処理装置１００を復元処理実行モードに切り替える（図２中のステップＳ２０１，Ｓ２２１）。
【０１０７】
ここで、ＣＰＵ１０１は、操作表示部１０３にＨＤＤ１８０の交換を促すメッセージを表示する（図２中のステップＳ２２２）。ここでは、たとえば、図１０（ａ）のようなメッセージを表示し、図９（ａ）のような状態から、図９（ｂ）のような状態、すなわち、第１スロットに接続されているデータ用のＨＤＤ１８０-1を取り外し、代わりに、記録済み退避用ＨＤＤ１８０’-1に交換させる。
【０１０８】
ここで、ＣＰＵ１０１はＨＤＤのＩＤなどを確認し、この図９（ｂ）のようにして第１スロットに記録済み退避用ＨＤＤ１８０’-1が接続されるまでメッセージを操作表示部１０３に表示し続ける（図２中のステップＳ２２３）。なお、交換すべきＨＤＤのスロット近傍で、ＬＥＤなどのパイロットランプを点灯させてもよい。
【０１０９】
ここで、この図９（ｂ）のようにして第１スロットに記録済み退避用ＨＤＤ１８０’-1が接続されたことを、ＨＤＤ１８０’-1のＩＤなどから検知した場合（図２中のステップＳ２２３でＹＥＳ）、ＣＰＵ１０１は、第１スロットに接続されている記録済み退避用ＨＤＤ１８０’-1に保存されているバックアップデータを読み出して、第２スロットのＨＤＤ１８０-2にコピーすることで、復元処理を実行する（図２中のステップＳ２２４）。
【０１１０】
ここで、ＣＰＵ１０１は、第１スロットに接続されている記録済み退避用ＨＤＤ１８０’-1に保存されているデータをすべて第２スロットのＨＤＤ１８０-2にコピーし終わった時点で、ＨＤＤ１８０のＩＤを確認することで、情報処理装置１００に当初から接続されている各ＨＤＤ１８０の全てに対して復元処理を実行したかを確認する（図２中のステップＳ２２５）。
【０１１１】
この時点では、記録済み待避用ＨＤＤ１８０’-2に保存されているデータの復元処理が完了していないため、ＣＰＵ１０１は、操作表示部１０３に図１０（ｂ）のようなメッセージを表示し、
図９（ｂ）のような状態から、図９（ｃ）のような状態、すなわち、第１スロットに接続されている記録済み退避用ＨＤＤ１８０’-1を取り外してデータ用のＨＤＤ１８０-1に交換させると共に、第２スロットに接続されているデータ用のＨＤＤ１８０-2を取り外し、記録済み退避用ＨＤＤ１８０’-2に交換させる（図２中のステップＳ２２２）。
【０１１２】
ここで、ＣＰＵ１０１はＨＤＤのＩＤなどを確認し、この図９（ｃ）のようにして各ＨＤＤが接続されるまでメッセージを操作表示部１０３に表示し続ける（図２中のステップＳ２２３）。なお、交換すべきＨＤＤのスロット近傍で、ＬＥＤなどのパイロットランプを点灯させてもよい。
【０１１３】
ここで、この図９（ｃ）のようにして第１スロットにデータ用のＨＤＤ１８０-1が接続され、第２スロットに記録済み退避用ＨＤＤ１８０’-2が接続されたことを、ＨＤＤ１８０のＩＤなどから検知した場合（図２中のステップＳ２２３でＹＥＳ）、ＣＰＵ１０１は、第２スロットに接続されている記録済み退避用のＨＤＤ１８０’-2に保存されているデータを読み出して、第１スロットのＨＤＤ１８０-1にコピーすることで、復元処理を実行する（図２中のステップＳ２２４）。
【０１１４】
ここで、ＣＰＵ１０１は、第２スロットに接続されている記録済み退避用ＨＤＤ１８０’-2に保存されているデータをすべて第１スロットのＨＤＤ１８０-1にコピーし終わった時点で、ＨＤＤ１８０のＩＤを確認することで、情報処理装置１００に当初から接続されている各ＨＤＤ１８０の全てについて復元処理を実行したかを確認する（図２中のステップＳ２２５）。
【０１１５】
この時点では、第１スロットの復元処理と第２スロットの復元処理とが完了しているため、ＣＰＵ１０１は、操作表示部１０３に図１０（ｃ）のようなメッセージを表示し、図９（ｃ）のような状態から、図９（ｄ）のような状態、すなわち、第２スロットに接続されている記録済み退避用ＨＤＤ１８０’-2を取り外してデータ用のＨＤＤ１８０-2に交換させて、図９（ａ）と同じ当初の状態に戻させる（図２中のステップＳ２２７）。
【０１１６】
そして、この後に、ＣＰＵ１０１は、動作モードを復元処理実行モードから通常動作モードに切り替え、情報処理装置１００を通常の動作に戻す（図２中のステップＳ２０２）。
【０１１７】
以上のように、復元処理実行モード時に、情報処理装置１００でそれまでデータ保存に使用していた複数のＨＤＤ１８０のいずれかが取り外され、記録済み退避用ＨＤＤ１８０’が接続されることで、該退避用のＨＤＤ１８０’の交換を検知したＣＰＵ１０１が、該情報処理装置に接続されている記録済み待避用ＨＤＤ１８０’に記憶されたデータをデータ用のＨＤＤ１８０に記憶させる。そして、この動作を交互に繰り返す。
【０１１８】
したがって、この情報処理装置１００では、退避用のＨＤＤ１８０’のために、設置スペース（スロット）、インタフェース、コントローラ、電源容量、信号ケーブル、放熱など、全ての点において、退避用専用に余分に設ける必要がなくなる。この結果、退避専用の余分な構成を必要とせず、データを保存するＨＤＤ１８０の復元処理を効率的に実行することが可能になる。
【０１１９】
なお、以上の復元処理実行モード中に、情報処理装置１００の復元処理以外の動作要求があった場合には、該情報処理装置１００の動作としてＨＤＤ１８０を使用しない動作モードで動作するよう、ＣＰＵ１０１が各部を制御する。これにより、実行中の復元処理が中断されることが無く、また、情報処理装置１００としての一部の動作もＨＤＤ１８０を使用せずに可能な範囲で実行できるため、効率の良い復元処理と情報処理装置１００の動作との両立が実現可能になる。
【０１２０】
また、以上の復元処理実行モード中に、該情報処理装置１００の復元処理以外の動作要求があった場合には、ＣＰＵ１０１が、該情報処理装置１００の実行中の復元処理以外の動作を許可しないようにしてもよい。これにより、実行中の復元処理が中断されることが無く、また、情報処理装置１００としての復元処理以外の動作は不許可となって復元処理が優先となるため、復元処理を確実に実行することが可能になる。
【０１２１】
そして、図５〜図８で示したスロットとＨＤＤとの装着位置の工夫により、バックアップ処理時と同様にして、復元処理を確実に実行することができる。また、図５−８の何れかを、適宜組み合わせた状態に構成してもよい。これにより、間違ったスロットへのＨＤＤ１８０の装着は更に不可能になる。
【０１２２】
〔情報処理装置１００の構成（２）〕
ここで、第二実施形態の情報処理装置１００の構成を、図１１（ブロック図）に基づいて詳細に説明する。
【０１２３】
なお、この実施形態の情報処理装置１００としては、各種の情報処理装置に適用が可能であるが、ここでは、ネットワークに接続された、スキャナ，複写機，プリンタ，ファクシミリ装置の機能を備えた複合機（ＭＦＰ）を具体例にして説明を続ける。
【０１２４】
また、情報処理装置１００として既知であって、本実施形態の特徴的な動作や制御に直接に関係しない一般的な部分についての説明は省略してある。さらに、この図１１では、図１で示した部分と同一物には同一番号を付すことで、重複した説明を省略する。
【０１２５】
ＨＤＤコントローラ１７０（１７０-1〜１７０-4）は、以下のＨＤＤ１８０のライト（書き込み）／リード（読み出し）を制御する制御手段であり、ＣＰＵ１０１と共に記憶制御手段を構成している。
【０１２６】
ＨＤＤ１８０（１８０-1〜１８０-4）は、ディスク型記録媒体にデータを記憶させる不揮発性の記憶部（請求項における不揮発性記憶手段）を構成しており、ランダムアクセス可能な大容量の記憶装置である。なお、ここでは、複数のＨＤＤ１８０-1〜１８０-4の４組が情報処理装置１００に接続される。
【０１２７】
また、このＨＤＤ１８０は、情報処理装置１００に着脱に構成されて接続されている。また、ここでは、データを記憶する通常のＨＤＤ１８０が接続されているが、後述するバックアップ処理、バックアップ復元処理（以下、単に復元処理）の際には、退避用不揮発性記憶手段としての退避用ＨＤＤが接続される。
【０１２８】
この図１１に示した具体例では、情報処理装置１００の第１スロットにＨＤＤコントローラ１７０-1とＨＤＤ１８０-1が接続されており、第２スロットにＨＤＤコントローラ１７０-2とＨＤＤ１８０-2が接続されており、第３スロットにＨＤＤコントローラ１７０-3とＨＤＤ１８０-3が接続されており、第４スロットにＨＤＤコントローラ１７０-4とＨＤＤ１８０-4が接続されており、合計で４組のＨＤＤが接続された状態を例示している。
【０１２９】
なお、必要に応じて、バス１０２とＨＤＤコントローラ１７０との間に、バスコントローラを配置してもよい。
〔情報処理装置１００の動作（３）〕
基本的には、図２のフローチャートに従ってバックアップ処理を実行する。
【０１３０】
ここで、バックアップ処理の際に、まず、図１１に示すように、複数組みで並行してバックアップ処理を実行する。そして、図１１のように、複数組みで並行してバックアップ処理を実行した後に、図１２に示すように、残りのＨＤＤ１８０についても複数組みで並行してバックアップ処理を実行する。
【０１３１】
すなわち、当初は複数２ｎ個のＨＤＤ１８０が情報処理装置１００に接続されており、この複数２ｎ個のＨＤＤ１８０のうちの複数ｎ個のいずれかが複数ｎ個の待避用ＨＤＤ１８０’に交換されて、複数ｎ（ｎ＝２ｎ−ｎ）個のＨＤＤ１８０が情報処理装置１００に接続されている場合、ＣＰＵ１０１は、複数ｎ個の、該情報処理装置１００に接続されているＨＤＤ１８０に記憶されたデータをバックアップデータとして待避用ＨＤＤ１８０’に並行して記憶させる。
【０１３２】
したがって、この情報処理装置１００では、退避用ＨＤＤ１８０の設置スペース（スロット）、インタフェース、退避用ＨＤＤ１８０のコントローラ、電源容量、信号ケーブル、放熱など、全ての点において、余分に設ける必要がなくなる。この結果、退避専用の余分な構成を必要とせず、データを保存するＨＤＤ１８０のバックアップを効率的に実行することが可能になる。
【０１３３】
さらに、この情報処理装置１００では、複数ｎ個のＨＤＤ１８０から退避用ＨＤＤ１８０に並行してバックアップ処理を実行することができ、退避用ＨＤＤ１８０の設置スペース（スロット）、インタフェース、退避用ＨＤＤ１８０のコントローラ、電源容量、信号ケーブル、放熱などを、増設することなく、効率的なバックアップ処理が可能になる。
【０１３４】
なお、以上は４組のＨＤＤについて、２組ずつバックアップ処理を実行する例であったが、６，８，…など他の数値であってもよい。
また、複数のＨＤＤが奇数個である場合は、以下のようにする。すなわち、当初は複数ａ個のＨＤＤ１８０が情報処理装置１００に接続されており、この複数ａ個のＨＤＤ１８０のうちの複数ｂ個のいずれかが複数ｂ個の待避用ＨＤＤ１８０’に交換されて、複数ｃ（ｃ＝ａ−ｂ）個のＨＤＤ１８０が情報処理装置１００に接続されている場合、ＣＰＵ１０１は、複数ｄ（ｄはｂあるいはｃのいずれか小さい方）個の、該情報処理装置１００に接続されているＨＤＤ１８０に記憶されたデータをバックアップデータとして待避用ＨＤＤ１８０’に並行して記憶させる。
【０１３５】
したがって、この情報処理装置１００では、退避用ＨＤＤ１８０の設置スペース（スロット）、インタフェース、退避用ＨＤＤ１８０のコントローラ、電源容量、信号ケーブル、放熱など、全ての点において、余分に設ける必要がなくなる。この結果、退避専用の余分な構成を必要とせず、データを保存するＨＤＤ１８０のバックアップを効率的に実行することが可能になる。
【０１３６】
さらに、この情報処理装置１００では、複数ｄ個のＨＤＤ１８０から退避用ＨＤＤ１８０に並行してバックアップ処理を実行することができ、退避用ＨＤＤ１８０の設置スペース（スロット）、インタフェース、退避用ＨＤＤ１８０のコントローラ、電源容量、信号ケーブル、放熱などを、増設することなく、効率的なバックアップ処理が可能になる。
【０１３７】
なお、以上のバックアップ処理実行モード中に、情報処理装置１００のバックアップ処理以外の動作要求があった場合には、該情報処理装置１００の動作としてＨＤＤ１８０を使用しない動作モードで動作するよう、ＣＰＵ１０１が各部を制御する。これにより、実行中のバックアップ処理が中断されることが無く、また、情報処理装置１００としての一部の動作もＨＤＤ１８０を使用せずに可能な範囲で実行できるため、効率の良いバックアップ処理と情報処理装置１００の動作との両立が実現可能になる。
【０１３８】
また、以上のバックアップ処理実行モード中に、該情報処理装置１００のバックアップ処理以外の動作要求があった場合には、ＣＰＵ１０１が、該情報処理装置１００の実行中のバックアップ処理以外の動作を許可しないようにしてもよい。これにより、実行中のバックアップ処理が中断されることが無く、また、情報処理装置１００としてのバックアップ処理以外の動作は不許可となってバックアップ処理が優先となるため、バックアップ処理を確実に実行することが可能になる。
【０１３９】
そして、図５〜図８で示したスロットとＨＤＤとの装着位置の工夫により、バックアップ処理時を確実に実行することができる。また、図５−８の何れかを、適宜組み合わせた状態に構成してもよい。これにより、間違ったスロットへのＨＤＤ１８０の装着は更に不可能になる。
【０１４０】
〔情報処理装置１００の動作（４）〕
基本的には、図２のフローチャートに従って復元処理を実行する。
この復元処理の際も、まず、図１３に示すように、複数組みで並行して復元処理を実行する。そして、図１３のように、複数組みで並行して復元処理を実行した後に、図１４に示すように、残りのＨＤＤ１８０についても複数組みで並行して復元処理を実行する。
【０１４１】
すなわち、当初は複数２ｎ個のＨＤＤ１８０が情報処理装置１００に接続されており、この複数２ｎ個のＨＤＤ１８０のうちの複数ｎ個のいずれかが複数ｎ個のバックアップデータ記憶済みの待避用ＨＤＤ１８０’に交換されて、複数ｎ（ｎ＝２ｎ−ｎ）個のＨＤＤ１８０が情報処理装置１００に接続されている場合、ＣＰＵ１０１は、複数ｎ個で並行して、待避用ＨＤＤ１８０’に記憶されているバックアップデータを、該情報処理装置１００に接続されているＨＤＤ１８０に対して戻すことにより復元処理を実行する。
【０１４２】
したがって、この情報処理装置１００では、退避用ＨＤＤ１８０の設置スペース（スロット）、インタフェース、退避用ＨＤＤ１８０のコントローラ、電源容量、信号ケーブル、放熱など、全ての点において、余分に設ける必要がなくなる。この結果、データを保存するＨＤＤ１８０の復元処理を効率的に実行することが可能になる。
【０１４３】
さらに、この情報処理装置１００では、複数ｄ個のバックアップデータ記憶済みの退避用ＨＤＤ１８０からＨＤＤ１８０に並行して復元処理を実行することができ、退避用ＨＤＤ１８０の設置スペース（スロット）、インタフェース、退避用ＨＤＤ１８０のコントローラ、電源容量、信号ケーブル、放熱などを、増設することなく、効率的な復元処理が可能になる。
【０１４４】
また、複数のＨＤＤが奇数個である場合は、以下のようにする。すなわち、当初は複数ａ個のＨＤＤ１８０が情報処理装置１００に接続されており、この複数ａ個のＨＤＤ１８０のうちの複数ｂ個のいずれかが複数ｂ個のバックアップデータ記憶済みの待避用ＨＤＤ１８０’に交換されて、複数ｃ（ｃ＝ａ−ｂ）個のＨＤＤ１８０が情報処理装置１００に接続されている場合、ＣＰＵ１０１は、複数ｄ（ｄはｂあるいはｃのいずれか小さい方）個で並行して、待避用ＨＤＤ１８０’に記憶されているバックアップデータを、該情報処理装置１００に接続されているＨＤＤ１８０に対して戻すことにより復元処理を実行する。
【０１４５】
したがって、この情報処理装置１００では、退避用ＨＤＤ１８０の設置スペース（スロット）、インタフェース、退避用ＨＤＤ１８０のコントローラ、電源容量、信号ケーブル、放熱など、全ての点において、余分に設ける必要がなくなる。この結果、データを保存するＨＤＤ１８０の復元処理を効率的に実行することが可能になる。
【０１４６】
さらに、この情報処理装置１００では、複数ｄ個のバックアップデータ記憶済みの退避用ＨＤＤ１８０からＨＤＤ１８０に並行して復元処理を実行することができ、退避用ＨＤＤ１８０の設置スペース（スロット）、インタフェース、退避用ＨＤＤ１８０のコントローラ、電源容量、信号ケーブル、放熱などを、増設することなく、効率的な復元処理が可能になる。
【０１４７】
なお、以上の復元処理実行モード中に、情報処理装置１００の復元処理以外の動作要求があった場合には、該情報処理装置１００の動作としてＨＤＤ１８０を使用しない動作モードで動作するよう、ＣＰＵ１０１が各部を制御する。これにより、実行中の復元処理が中断されることが無く、また、情報処理装置１００としての一部の動作もＨＤＤ１８０を使用せずに可能な範囲で実行できるため、効率の良い復元処理と情報処理装置１００の動作との両立が実現可能になる。
【０１４８】
また、以上の復元処理実行モード中に、該情報処理装置１００の復元処理以外の動作要求があった場合には、ＣＰＵ１０１が、該情報処理装置１００の実行中の復元処理以外の動作を許可しないようにしてもよい。これにより、実行中の復元処理が中断されることが無く、また、情報処理装置１００としての復元処理以外の動作は不許可となって復元処理が優先となるため、復元処理を確実に実行することが可能になる。
【０１４９】
そして、図５〜図８で示したスロットとＨＤＤとの装着位置の工夫により、バックアップ処理時と同様にして、復元処理を確実に実行することができる。また、図５−８の何れかを、適宜組み合わせた状態に構成してもよい。これにより、間違ったスロットへのＨＤＤ１８０の装着は更に不可能になる。
【０１５０】
〔情報処理装置１００の動作（５）〕
以上の情報処理装置１００の動作（１）〜（４）においては、操作表示部１０３に対して利用者からバックアップ処理や復元処理の指示が発生した場合に、ＣＰＵ１０１が動作モードを切り替えていた。
【０１５１】
これに対し、各スロットへの待避用ＨＤＤ１８０’の接続を検知したＣＰＵ１０１は、バックアップ処理を開始しても良い。同様にして、各スロットへの記録済み待避用ＨＤＤ１８０’の接続を検知したＣＰＵ１０１は、復元処理を開始しても良い。
【０１５２】
〔情報処理装置１００のその他の構成〕
以上の実施形態では、不揮発性記憶手段の具体例として、ＨＤＤを用いて説明してきた。しかし、データ用と待避用の不揮発性記憶手段はこれに限定されず、フラッシュメモリであってもよい。
【符号の説明】
【０１５３】
１００  情報処理装置
１０３  操作表示部
１０５  ＲＯＭ
１０７  ＲＡＭ
１１０  画像入力部
１２０  画像処理部
１３０  画像出力部
１７０  ＨＤＤコントローラ
１８０  ＨＤＤ
【図１】
2010224732.tif 000003
【図２】
2010224732.tif 000004
【図３】
2010224732.tif 000005
【図４】
2010224732.tif 000006
【図５】
2010224732.tif 000007
【図６】
2010224732.tif 000008
【図７】
2010224732.tif 000009
【図８】
2010224732.tif 000010
【図９】
2010224732.tif 000011
【図１０】
2010224732.tif 000012
【図１１】
2010224732.tif 000013
【図１２】
2010224732.tif 000014
【図１３】
2010224732.tif 000015
【図１４】
2010224732.tif 000016